(57)【要約】【課題】気流の制御性を向上させることができる空気調和機を得る。【解決手段】吸込み口１と吹出し口２とを連通した風路３が形成されたケース４と、風路３内に設けられたファン５と、吹出し口２に設けられた上下羽根７と、ファン５と上下羽根７との間に設けられ、風路３内の気流の方向を上下羽根７側に向かって偏向させる上面風向偏向板９と、上下羽根７を回動させる上下羽根回転軸７ａに連結され上下羽根回転軸７ａと同期して回動する間欠カム１２と、上面風向偏向板９を回動させる上面風向偏向手段回転軸９ａに固定され、先端部が間欠カム１２に形成された第３の溝１２ｃに沿って摺動可能な上面従動接触子１３とを備え、モータによる間欠カム１２の回動で、上面従動接触子１３が第３の溝１２ｃに沿って摺動するに伴い、上面風向偏向手段回転軸９ａが回動して、上面風向偏向板９が回動する。【選択図】図１
2008261516.tif 000002
【特許請求の範囲】
【請求項１】
吸込み口と吹出し口とを連通した風路が形成されたケースと、
前記風路内に設けられ、気流を発生させるファンと、
前記吹出し口に設けられ、前記吹出し口から吹出される前記気流の方向を上下方向に偏向させる上下羽根と、
前記ファンと前記上下羽根との間に設けられ、前記風路内の前記気流の方向を前記上下羽根側に向かって偏向させる風向偏向手段と、
前記上下羽根および前記風向偏向手段に設けられ、モータからの回動力を前記上下羽根および前記風向偏向手段へ伝達する回動力伝達機構とを備え、
前記回動力伝達機構は、前記上下羽根を回動させる上下羽根回転軸と、前記風向偏向手段を回動させる風向偏向手段回転軸と、前記上下羽根回転軸および前記風向偏向手段回転軸と連結し、前記上下羽根回転軸と同期して回動する間欠カムと、一端部が前記風向偏向手段回転軸に固定され、他端部が前記間欠カムに設けられた案内手段に沿って摺動可能な従動接触子とを有し、
前記モータによる前記間欠カムの回動で、前記従動接触子の前記他端部が前記案内手段に沿って摺動するに伴い、前記風向偏向手段回転軸が回動して、前記風向偏向手段回転軸を中心に前記風向偏向手段が回動することを特徴とする空気調和機。
【請求項２】
前記風向偏向手段は、前記上下羽根の上側に設けられ、前記上下羽根の上面に向かって前記気流を偏向可能な上面風向偏向部と、前記上下羽根の下側に設けられ、前記上下羽根の下面に向かって前記気流を偏向可能な下面風向偏向部とを有し、
前記上下羽根が水平方向を指向している場合には、前記下面風向偏向部が前記気流の方向を前記上下羽根の下面に向かって偏向させ、
前記上下羽根が下方向を指向している場合には、前記上面風向偏向部が前記気流の方向を前記上下羽根の上面に向かって偏向させることを特徴とする請求項１に記載の空気調和機。
【請求項３】
前記案内手段は、前記間欠カムの回動中心を中心に円弧形状の第１の案内部と、前記回動中心を中心に前記第１の案内部より径の大きい円弧形状の第２の案内部と、前記第１の案内部と前記第２の案内部とを繋ぐ第３の案内部とを有し、
前記間欠カムの回動により、前記従動接触子の前記他端部が前記第３の案内手段に沿って摺動する際に、前記風向偏向手段回転軸が回動することを特徴とする請求項１または請求項２に記載の空気調和機。
【請求項４】
前記案内手段は、前記上面風向偏向手段を回動させる上面風向偏向手段回転軸に固定された上面従動接触子を案内する上面案内手段と、前記下面風向偏向手段を回動させる下面風向偏向手段回転軸に固定された下面従動接触子を案内する下面案内手段とを備え、
前記上面案内手段は、前記間欠カムの回動中心を中心にした円弧形状の第１の上面案内部と、前記回動中心を中心にした前記第１の上面案内部より径の大きい円弧形状の第２の上面案内部と、前記第１の上面案内部と前記第２の上面案内部とを繋ぐ第３の上面案内部とを有し、
前記下面案内手段は、前記回動中心を中心にした円弧形状の第１の下面案内部と、前記回動中心を中心にした前記第１の下面案内部より径の大きい円弧形状の第２の下面案内部と、前記第１の下面案内部と前記第２の下面案内部とを繋ぐ第３の下面案内部とを有し、
前記従動接触子は、一端部が上面風向偏向手段回転軸に固定された上面従動接触子と、一端部が下面風向偏向手段回転軸に固定された下面従動接触子とを有し、
前記間欠カムの回動により、前記上面従動接触子の他端部が前記第３の上面案内部に沿って摺動する際に、前記上面風向偏向手段回転軸が回動し、前記下面従動接触子の他端部が前記第３の下面案内部に沿って摺動する際に、前記下面風向偏向手段回転軸が回動することを特徴とする請求項２に記載の空気調和機。
【発明の詳細な説明】
【技術分野】
【０００１】
この発明は、吹出し口に設けられ、ファンにより発生する気流の方向を上下方向に偏向させる上下羽根を備えた空気調和機に関する。
【背景技術】
【０００２】
従来、吸込み口と吹出し口とを連通した風路が形成されたケースと、前記風路内に設けられ、気流を発生させるファンと、前記吹出し口に設けられ、前記気流の方向を上下方向に偏向させる上下羽根とを備えた空気調和機が知られている（例えば、特許文献１参照）。
【０００３】
【特許文献１】特開平３−１５８６４７号公報
【発明の開示】
【発明が解決しようとする課題】
【０００４】
しかしながら、このものの場合、例えば、冷房時に気流の方向を水平方向にするために、上下羽根を水平方向に傾けると、気流が上下羽根を通過するときに、上下羽根の下面を通過する気流の一部が水平方向に偏向されず空気密度の違いにより下方向に流れてしまう。
また、暖房時に気流の方向を下方向にするために、上下羽根を下方向に傾けると、気流が上下羽根を通過するときに、上下羽根の上面を通過する気流の一部が下方向に偏向されず上方向に流れてしまう。その結果、気流の制御性が低下してしまうという問題点があった。
【０００５】
この発明は、上述のような問題点を解決することを課題とするものであって、その目的は、気流の制御性を向上させることができる空気調和機を提供するものである。
【課題を解決するための手段】
【０００６】
この発明に係る空気調和機は、吸込み口と吹出し口とを連通した風路が形成されたケースと、前記風路内に設けられ、気流を発生させるファンと、前記吹出し口に設けられ、前記吹出し口から吹出される前記気流の方向を上下方向に偏向させる上下羽根と、前記ファンと前記上下羽根との間に設けられ、前記風路内の前記気流の方向を前記上下羽根側に向かって偏向させる風向偏向手段と、前記上下羽根および前記風向偏向手段に設けられ、モータからの回動力を前記上下羽根および前記風向偏向手段へ伝達する回動力伝達機構とを備え、前記回動力伝達機構は、前記上下羽根を回動させる上下羽根回転軸と、前記風向偏向手段を回動させる風向偏向手段回転軸と、前記上下羽根回転軸および前記風向偏向手段回転軸と連結し、前記上下羽根回転軸と同期して回動する間欠カムと、一端部が前記風向偏向手段回転軸に固定され、他端部が前記間欠カムに設けられた案内手段に沿って摺動可能な従動接触子とを有し、前記モータによる前記間欠カムの回動で、前記従動接触子の前記他端部が前記案内手段に沿って摺動するに伴い、前記風向偏向手段回転軸が回動して、前記風向偏向手段回転軸を中心に前記風向偏向手段が回動する。
【発明の効果】
【０００７】
この発明に係る空気調和機によれば、気流の制御性を向上させることができる。
【発明を実施するための最良の形態】
【０００８】
以下、この発明の各実施の形態を図に基づいて説明するが、各図において、同一または相当の部材、部位については、同一符号を付してある。
本明細書では、図１の矢印Ａの方向を上方向と呼ぶ。
実施の形態１．
図１は実施の形態１に係る空気調和機の構成図、図２は図１の下面風向偏向板１０を示す斜視図、図３は図１のＩＩＩ−ＩＩＩ線に沿った矢視断面図、図４は図３のＩＶ−ＩＶ線に沿った矢視断面図である。
である。
実施の形態１に係る空気調和機は、外部から空気を吸い込む吸込み口１と、この吸込み口１から吸い込まれた空気を外部へ吹出す吹出し口２と、吸込み口１と吹出し口２とを連通させた風路３とが形成されたケース４を備えている。
また、この空気調和機は、風路３内に設けられ、気流を発生させるファン５と、吸込み口１とファン５との間に設けられ、吸込み口１から吸い込まれた空気と熱交換を行う熱交換器６と、吹出し口２に設けられ、吹出し口２から吹出される気流の方向を上下方向に偏向させる円弧板の上下羽根７と、ファン５と上下羽根７との間に設けられ、風路３内の気流の方向を上下羽根７側に向かって偏向させる風向偏向手段８とを備えている。
上下羽根７は、風路３の側壁に貫通して設けられた上下羽根回転軸７ａに固定され、この上下羽根回転軸７ａは、ケース４に設けられた軸受４ａに回動可能に支持されている。
【０００９】
風向偏向手段８は、風路３の上壁に設けられた円弧板の上面風向偏向部である上面風向偏向板９と、風路３の下壁に設けられた円弧板の下面風向偏向部である下面風向偏向板１０とを有している。
上面風向偏向板９および下面風向偏向板１０は、風路３の壁に沿うように傾けたときに、気流の流動抵抗を増大させないように、風路３の壁の形状に合わせて形成されている。なお、偏向板は、円弧板に限らず、例えば、平板であってもよい。
【００１０】
上面風向偏向板９は、風路３の側壁に貫通して設けられた風向偏向手段回転軸である上面風向偏向手段回転軸９ａに固定され、この上面風向偏向手段回転軸９ａは、ケース４に設けられた軸受４ｂに回動可能に支持されている。上面風向偏向手段回転軸９ａを回動させることで、上面風向偏向板９が回動して、上面風向偏向板９の先端部が上下羽根７の上面に指向可能である。
下面風向偏向板１０は、風路３の側壁に貫通して設けられた風向偏向手段回転軸である下面風向偏向手段回転軸１０ａに固定され、この下面風向偏向手段回転軸１０ａは、ケース４に設けられた軸受４ｃに回動可能に支持されている。下面風向偏向手段回転軸１０ａを回動させることで、下面風向偏向板１０が回動して、下面風向偏向板１０の先端部が上下羽根７の下面に指向可能である。
【００１１】
上面風向偏向板９、上面風向偏向手段回転軸９ａ、下面風向偏向板１０および下面風向偏向手段回転軸１０ａは、ＡＢＳ（アクリルブタジエンスチレン共重合合成樹脂）により形成されている。なお、上面風向偏向板９、上面風向偏向手段回転軸９ａ、下面風向偏向板１０および下面風向偏向手段回転軸１０ａは、ＰＰＴ（ポリプロピレンテレフタレート）などの成形性に優れる樹脂を用いてもよく、また、ステンレスやセラミックなどの非樹脂材料を用いてもよい。
【００１２】
風路３の側壁の外側には、モータ１１が設けられ、このモータ１１に上下羽根回転軸７ａが接続されている。モータ１１の駆動により、上下羽根回転軸７ａが回動するとともに上下羽根７が回動する。
上下羽根回転軸７ａには、上下羽根回転軸７ａを中心に回動可能な円盤形状の間欠カム１２が設けられ、上下羽根回転軸７ａが回動すると、同期して間欠カム１２が回動する。
【００１３】
間欠カム１２の反モータ１１側には、図４に示すように、上下羽根回転軸７ａを中心に半径がＲ１である円弧形状の第１の案内部である第１の溝１２ａと、上下羽根回転軸７ａを中心に第１の溝１２ａより径が大きく、半径がＲ２である円弧形状の第２の案内部である第２の溝１２ｂと、第１の溝１２ａと第２の溝１２ｂとを繋ぐ第３の案内部である第３の溝１２ｃとが形成されている。
案内手段は、第１の溝１２ａ、第２の溝１２ｂおよび第３の溝１２ｃから構成されている。
【００１４】
上面風向偏向手段回転軸９ａの先端部には、従動接触子である上面従動接触子１３の基部が固定され、上面従動接触子１３の先端部は、間欠カム１２の第２の溝１２ｂに係合されている。
上面従動接触子１３が第２の溝１２ｂに係合している間では、上面風向偏向手段回転軸９ａが所定の角度に維持され、上面風向偏向板９は、風路３の上壁に沿って配置される。
上面従動接触子１３が第１の溝１２ａに係合している間では、上面風向偏向手段回転軸９ａが他の角度に維持され、上面風向偏向板９は、上下羽根７に指向する。
【００１５】
下面風向偏向手段回転軸１０ａの先端部には、従動接触子である下面従動接触子１４の基部が固定され、下面従動接触子１４の先端部は、間欠カム１２の第１の溝１２ａに係合されている。
下面従動接触子１４が第２の溝１２ｂに係合している間では、下面風向偏向手段回転軸１０ａが所定の角度に維持され、下面風向偏向板１０は、風路３の下壁に沿って配置される。
下面従動接触子１４が第１の溝１２ａに係合している間では、下面風向偏向手段回転軸１０ａが他の角度に維持され、下面風向偏向板１０は、上下羽根７に指向する。
回動力伝達機構１７は、間欠カム１２、上下羽根回転軸７ａ、上面風向偏向手段回転軸９ａ、下面風向偏向手段回転軸１０ａ、上面従動接触子１３および下面従動接触子１４から構成されている。
【００１６】
次に、実施の形態１に係る空気調和機の動作について説明する。
まず、冷房時に吹出し口２から気流を水平方向に吹出す場合について説明する。なお、空気調和機は、冷房時以外であっても気流を水平方向に吹出す場合があるので、冷房時に限定するものではない。
図示しない制御部からの駆動信号に基づいて、モータ１１を駆動させることにより、上下羽根回転軸７ａが一方向に回動して、上下羽根７は上下羽根回転軸７ａを中心に回動して水平方向に向けられる。
ファン５の回転により吸込み口１から空気が吸い込まれ、この吸い込まれた空気が熱交換器６を通過する。熱交換器６の温度は、所定の温度に制御されているので、熱交換器６を通過した空気の温度は、設定温度（冷房温度）となる。熱交換器６を通過した空気は、ファン５により風向偏向手段８へ運ばれる。
【００１７】
上下羽根回転軸７ａが一方向に回動すると、図４に示すように、間欠カム１２が同期して矢印Ｂの方向に回動し、第１の溝１２ａ、第２の溝１２ｂおよび第３の溝１２ｃが回動する。
第１の溝１２ａ、第２の溝１２ｂおよび第３の溝１２ｃが矢印Ｂの方向に回動することで、図４に示すように、下面従動接触子１４は、第１の溝１２ａに沿って摺動し、上面従動接触子１３は、第２の溝１２ｂに沿って摺動する。
その結果、下面風向偏向板１０の先端部が上下羽根７の下面に指向し、上面風向偏向板９は風路３の上壁の形状に合うように傾き、上下羽根７の上面に沿った気流には影響を与えない。
【００１８】
ファン５から下面風向偏向板１０に運ばれた気流は、下面風向偏向板１０の上面に衝突して、上下羽根７の下面方向に偏向される。
このとき、上下羽根７と下面風向偏向板１０との間の流路断面積が小さくなるので、気流が縮流して、気流の速度が増加する。
上下羽根７は、断面円弧形状であるので、気流は上下羽根７の下面に沿って流れ、上下羽根７の先端部は水平方向を向いているので、吹出し口２付近での気流は、水平方向に偏向される。
このように、上下羽根７を用いて気流を水平方向に偏向する際に、下面風向偏向板１０により、気流が上下羽根７の下面から下方向に吹き抜けることを抑制し、さらに、気流の縮流によって風速を増加させることができるので、十分な量の気流を遠くまで送ることができる。
【００１９】
次に、冷房状態から暖房状態に移行させ、吹出し口２の気流の方向を水平方向から下方向へ切換える場合の空気調和機の動作について説明する。なお、空気調和機は、暖房時以外であっても気流を下方向に吹出す場合があるので、暖房時に限定するものではない。
図５は上下羽根７が水平方向から下方向側に傾いたときの吹出し口２付近の断面図であり、図６は図５の間欠カム１２と上面従動接触子１３と下面従動接触子１４との関係を示した図である。
制御部からの駆動信号に基づき、モータ１１が駆動して、上下羽根回転軸７ａが他方向に回動して、上下羽根７が上下羽根回転軸７ａを中心にして下方向に向かって回動する。
間欠カム１２が、上下羽根回転軸７ａとともに、図６の矢印Ｃの方向に回動することにより、図５に示すように、上下羽根７は上下羽根回転軸７ａの回動角度と同じ角度だけ回動し、下方向側に傾く。
上面従動接触子１３は、第２の溝１２ｂに沿って摺動するので、上面風向偏向手段回転軸９ａは回動せず、上面風向偏向板９は回動しない。
一方、下面従動接触子１４は、第３の溝１２ｃに沿って摺動して、第２の溝１２ｂに到達する。
このとき、下面風向偏向手段回転軸１０ａを中心に下面従動接触子１４がθ１度だけ図６の矢印Ｄの方向に回動する。下面風向偏向板１０は下面従動接触子１４とともにθ１度だけ回動し、下面風向偏向板１０は、風路３の下壁の形状に合うように傾き、上下羽根７の下面に沿った気流には影響を与えない。
【００２０】
さらに、モータ１１が駆動して、上下羽根回転軸７ａとともに間欠カム１２を図６の矢印Ｃの方向に回動させると、上下羽根７は上下羽根回転軸７ａの回動角度と同じ角度だけ回動し、さらに下方向側に傾く。
上面従動接触子１３は、第２の溝１２ｂに沿って摺動するので、上面風向偏向手段回転軸９ａは回動せず、上面風向偏向板９は回動しない。
また、下面従動接触子１４も、第２の溝１２ｂに沿って摺動するので、下面風向偏向手段回転軸１０ａは回動せず、下面風向偏向板１０も回動しない。
【００２１】
さらに、モータ１１を駆動させることにより、上下羽根回転軸７ａが他方向に回動して、上下羽根７は上下羽根回転軸７ａを中心に回動して下方向に向けられる。
図７は上下羽根７が下方向を向いているときの吹出し口２付近の断面図、図８は図７の間欠カム１２と上面従動接触子１３と下面従動接触子１４との関係を示す図である。
上下羽根回転軸７ａが他方向にさらに回動すると、間欠カム１２が同期して回動する。
下面従動接触子１４は、第２の溝１２ｂに沿って摺動するので、下面風向偏向手段回転軸１０ａは回動せず、下面風向偏向板１０は回動しない。
その結果、下面風向偏向板１０は、上下羽根７の下面に沿った気流には影響を与えないままである。
一方、上面従動接触子１３は、第３の溝１２ｃに沿って摺動して、第１の溝１２ａに到達する。
図８に示すように、上面風向偏向手段回転軸９ａを中心に上面従動接触子１３がθ２度だけ矢印Ｅの方向に回動する。上面風向偏向板９は上面従動接触子１３とともにθ２度だけ回動し、上面風向偏向板９の先端部が上下羽根７の上面に指向する。
【００２２】
ファン５から上面風向偏向板９に運ばれた気流は、図７に示すように、上面風向偏向板９の下面に衝突して、矢印Ｆの方向である上下羽根７の上面方向に偏向される。
上下羽根７と上面風向偏向板９との間の流路断面積が小さくなるので、気流が縮流して、気流の速度が増大する。
このように、上下羽根７を用いて気流を下方向に偏向する際に、上面風向偏向板９により、気流が上下羽根７の上面から水平方向に吹き抜けることを抑制し、さらに、気流の縮流によって風速を増加させることができるので、吹出し口２付近での気流は、下方向である矢印Ｇの方向に偏向され、狭い吹出し幅で、速度が増大して吹出される。
【００２３】
図９（ａ）は、下面風向偏向板１０の配置される位置と回動角度との関係を示す図であり、図９（ｂ）は、上面風向偏向板９の配置される位置と回動角度との関係を示す図である。
上面風向偏向板９の配置される位置は、風路３の上壁であればどこでもよく、また、下面風向偏向板１０の配置される位置は、風路３の下壁あればどこでもよいが、より優れた効果を得るためには、上面風向偏向板９および下面風向偏向板１０の配置位置、寸法および回動角度が、上下羽根７との位置、寸法および回動角度に制約される。
下面風向偏向板１０は、気流を上下羽根７の下面に当てる必要があるため、上下羽根７および下面風向偏向板１０を回動させたときに、下面風向偏向板１０の延長線１５が上下羽根７の上流側端部より下流側になるように、下面風向偏向板１０の配置される位置および回動角度を決定する。
また、上面風向偏向板９は、気流を上下羽根７の上面に当てる必要があるため、上下羽根７および上面風向偏向板９を回動させたときに、上面風向偏向板９の延長線１６が上下羽根７の上流側端部より下流側になるように、上面風向偏向板９の配置される位置および回動角度を決定する。
【００２４】
実施の形態１に係る空気調和機によると、ファン５と上下羽根７との間には、風路３内の気流を上下羽根７に向かって偏向させる風向偏向手段８が設けられているので、風路３内の気流が上下羽根７によって制御されやすくなり、吹出し口２から吹出される気流の制御性を向上させることができる。
また、上下羽根７および風向偏向手段８とモータ１１との間に回動力伝達機構１７を設けることで、簡単に上下羽根７および風向偏向手段８を回動させることができる。
【００２５】
また、間欠カム１２には、上面従動接触子１３および下面従動接触子１４が摺動する第１の溝１２ａ、第２の溝１２ｂおよび第３の溝１２ｃが形成されているので、簡単な構成で、上面風向偏向板９および下面風向偏向板１０を回動させることができる。
【００２６】
また、風向偏向手段８は上面風向偏向板９および下面風向偏向板１０を有しているので、気流の方向を上下羽根７の上面および下面の両方に偏向させることができる。
【００２７】
また、気流を偏向させるために、上下羽根７を吹出し口２の外側にせり出させる必要がないので、例えば、冷房時において、熱交換器６を通過して冷却された気流により冷却された上下羽根７が、温度の高い室内空気に触れにくくなり、上下羽根７に結露が発生することを抑制することができる。
【００２８】
実施の形態２．
図１０は実施の形態２に係る空気調和機の間欠カム１２と上面従動接触子１３と下面従動接触子１４との関係を示した図である。
実施の形態２に係る空気調和機の間欠カム１２は、第１の溝１２ａの半径Ｒ１より大きく、第２の溝１２ｂの半径Ｒ２より小さい半径Ｒ３である第４の溝１２ｄと、第１の溝１２ａの径より小さい半径Ｒ４である第５の溝１２ｅと、第４の溝１２ｄと第５の溝とを繋ぐ第６の溝１２ｆとが形成されている。
下面従動接触子１４は、第１の下面案内部である第１の溝１２ａ、第２の下面案内部である第２の溝１２ｂおよび第３の下面案内部である第３の溝１２ｃに沿って摺動可能であり、上面従動接触子１３は、第１の上面案内部である第４の溝１２ｄ、第２の上面案内部である第５の溝１２ｅおよび第３の上面案内部である第６の溝１２ｆに沿って摺動可能である。
下面案内手段は、第１の溝１２ａ、第２の溝１２ｂおよび第３の溝１２ｃから構成されており、上面案内手段は、第４の溝１２ｄ、第５の溝１２ｅおよび第６の溝１２ｆから構成されている。
なお、第１の溝１２ａ、第２の溝１２ｂ、第４の溝１２ｄおよび第５の溝１２ｅの形状は下面風向偏向板１０および上面風向偏向板９の回動角度および回動タイミングによって決定される。
その他の構成は実施の形態１と同様である。
【００２９】
実施の形態２に係る空気調和機によると、上面従動接触子１３が摺動する溝の形状と下面従動接触子１４が摺動する溝の形状とがそれぞれ別々に形成されているので、上面風向偏向板９および下面風向偏向板１０の回動角度および回動タイミングを別々に設定することができる。
【００３０】
なお、上記各実施の形態では、上面風向偏向板９と下面風向偏向板１０とを有した風向偏向手段８について説明したが、上面風向偏向板９または下面風向偏向板１０の何れか一方を有した風向偏向手段８であってもよい。
【００３１】
また、上記各実施の形態では、上面従動接触子１３および下面従動接触子１４が摺動可能な溝を有する間欠カム１２について説明したが、勿論このものに限らず、例えば、上面従動接触子１３および下面従動接触子１４が摺動可能なレールを有する間欠カム１２であってもよい。
【図面の簡単な説明】
【００３２】
【図１】実施の形態１に係る空気調和機の構成図である。
【図２】図１の下面風向偏向板を示す斜視図である。
【図３】図１のＩＩＩ−ＩＩＩ線に沿った矢視断面図である。
【図４】図３のＩＶ−ＩＶ線に沿った矢視断面図である。
【図５】上下羽根が水平方向から下方向側に傾いたときの吹出し口付近の断面図である。
【図６】図５の間欠カムと上面従動接触子と下面従動接触子との関係を示した図である。
【図７】上下羽根が下方向を向いているときの吹出し口付近の断面図である。
【図８】図７の間欠カムと上面従動接触子と下面従動接触子との関係を示した図である。
【図９】図９（ａ）は下面風向偏向板の配置される位置と回動角度との関係を示す図であり、図９（ｂ）は、上面風向偏向板の配置される位置と回動角度との関係を示す図である。
【図１０】実施の形態２に係る空気調和機の間欠カムと上面従動接触子と下面従動接触子との関係を示す図である。
【符号の説明】
【００３３】
１  吸込み口、２  吹出し口、３  風路、４  ケース、４ａ  軸受、４ｂ  軸受、４ｃ  軸受、５  ファン、６  熱交換器、７  上下羽根、７ａ  上下羽根回転軸、８  風向偏向手段、９  上面風向偏向板、９ａ  上面風向偏向手段回転軸、１０  下面風向偏向板、１０ａ  下面風向偏向手段回転軸、１１  モータ、１２  間欠カム、１２ａ  第１の溝、１２ｂ  第２の溝、１２ｃ  第３の溝、１２ｄ  第４の溝、１２ｅ  第５の溝、１２ｆ  第６の溝、１３  上面従動接触子、１４  下面従動接触子、１５  延長線、１６  延長線、１７  回動力伝達機構。
【図１】
2008261516.tif 000003
【図２】
2008261516.tif 000004
【図３】
2008261516.tif 000005
【図４】
2008261516.tif 000006
【図５】
2008261516.tif 000007
【図６】
2008261516.tif 000008
【図７】
2008261516.tif 000009
【図８】
2008261516.tif 000010
【図９】
2008261516.tif 000011
【図１０】
2008261516.tif 000012